(57)【要約】【課題】ジョブのサムネイル画像と、プレビュー画像とを同時に表示することである。【解決手段】画面表示を行う表示部３１と、画像データに基づいて用紙に画像形成する画像形成部４０と、を備える画像形成装置１において、ジョブに含まれる画像データに基づくサムネイル画像と、当該ジョブに含まれる画像データに基づく排紙イメージを示すプレビュー画像と、を有する画面を生成して表示部３１に表示させる制御部１１を備える。【選択図】図１
2009216893.tif 000002
【特許請求の範囲】
【請求項１】
画面表示を行う表示部と、
画像データに基づいて用紙に画像形成する画像形成部と、を備える画像形成装置において、
ジョブに含まれる画像データに基づくサムネイル画像と、当該ジョブに含まれる画像データに基づく排紙イメージを示すプレビュー画像と、を有する画面を生成して前記表示部に表示させる制御部を備える画像形成装置。
【請求項２】
前記ジョブは、複数の画像データを含み、
前記ジョブの複数の画像から、当該ジョブに対応するサムネイル画像及びプレビュー画像の少なくとも１つに用いる画像の選択入力を受け付ける操作部を備え、
前記制御部は、前記操作部を介して選択入力された画像に対応するサムネイル画像及びプレビュー画像の少なくとも１つを有する前記画面を生成する請求項１に記載の画像形成装置。
【請求項３】
前記操作部は、前記ジョブに対応するサムネイル画像に用いる画像とプレビュー画像に用いる画像とを異にして選択入力を受け付け、
前記制御部は、前記操作部を介して選択入力された画像に対応するサムネイル画像とプレビュー画像とを有する前記画面を生成する請求項２に記載の画像形成装置。
【請求項４】
前記制御部は、前記ジョブの画像に対して最後に移動、複製又は画像挿入の編集がされた場合に、当該編集が最後にされた画像に対応するサムネイル画像及びプレビュー画像の少なくとも１つを有する前記画面を生成する請求項１に記載の画像形成装置。
【請求項５】
前記制御部は、前記編集がされていない場合に、前記ジョブの先頭画像に対応するサムネイル画像及びプレビュー画像の少なくとも１つを有する前記画面を生成する請求項４に記載の画像形成装置。
【請求項６】
前記制御部は、前記ジョブの画像に対して最後に特徴の無い画像挿入の編集がされた場合に、当該挿入した画像の前又は後の画像に対応するサムネイル画像及びプレビュー画像の少なくとも１つを有する前記画面を生成する請求項４又は５に記載の画像形成装置。
【請求項７】
前記画像形成部により画像形成された用紙に後処理を施す後処理部を備え、
前記制御部は、前記ジョブの画像に対応して画像形成する用紙に前記後処理を施す場合に、当該後処理を施した排紙イメージのプレビュー画像を有する前記画面を生成する請求項１から６のいずれか一項に記載の画像形成装置。
【請求項８】
前記制御部は、前記後処理を施した排紙イメージのプレビュー画像と、当該後処理に関する文字情報とを有する前記画面を生成する請求項７に記載の画像形成装置。
【発明の詳細な説明】
【技術分野】
【０００１】
本発明は、画像形成装置に関する。
【背景技術】
【０００２】
従来、画像形成のジョブを投入することにより、そのジョブを実行する複写機等の画像形成装置が知られている。また、画像形成装置において、ジョブの一覧画面を表示し、そのジョブ一覧画面においてジョブ毎にサムネイル画像を表示する構成が考えられている（例えば、特許文献１参照）。このサムネイル画像は、各ジョブに含まれる全画像データのうち１つの画像データに対応する縮小画像である。
【０００３】
また、画像形成後の排紙イメージを示すプレビュー画像を表示可能な画像形成装置が知られている。
【特許文献１】特開２００６−２５２１９１号公報
【発明の開示】
【発明が解決しようとする課題】
【０００４】
しかし、従来の画像形成装置では、一画面において、ジョブのサムネイル画像と、プレビュー画像とを同時に表示することができなかった。
【０００５】
本発明の課題は、ジョブのサムネイル画像と、プレビュー画像とを同時に表示することである。
【課題を解決するための手段】
【０００６】
請求項１に記載の発明は、
画面表示を行う表示部と、
画像データに基づいて用紙に画像形成する画像形成部と、を備える画像形成装置において、
ジョブに含まれる画像データに基づくサムネイル画像と、当該ジョブに含まれる画像データに基づく排紙イメージを示すプレビュー画像と、を有する画面を生成して前記表示部に表示させる制御部を備える。
【０００７】
請求項２に記載の発明は、請求項１に記載の画像形成装置において、
前記ジョブは、複数の画像データを含み、
前記ジョブの複数の画像から、当該ジョブに対応するサムネイル画像及びプレビュー画像の少なくとも１つに用いる画像の選択入力を受け付ける操作部を備え、
前記制御部は、前記操作部を介して選択入力された画像に対応するサムネイル画像及びプレビュー画像の少なくとも１つを有する前記画面を生成する。
【０００８】
請求項３に記載の発明は、請求項２に記載の画像形成装置において、
前記操作部は、前記ジョブに対応するサムネイル画像に用いる画像とプレビュー画像に用いる画像とを異にして選択入力を受け付け、
前記制御部は、前記操作部を介して選択入力された画像に対応するサムネイル画像とプレビュー画像とを有する前記画面を生成する。
【０００９】
請求項４に記載の発明は、請求項１に記載の画像形成装置において、
前記制御部は、前記ジョブの画像に対して最後に移動、複製又は画像挿入の編集がされた場合に、当該編集が最後にされた画像に対応するサムネイル画像及びプレビュー画像の少なくとも１つを有する前記画面を生成する。
【００１０】
請求項５に記載の発明は、請求項４に記載の画像形成装置において、
前記制御部は、前記編集がされていない場合に、前記ジョブの先頭画像に対応するサムネイル画像及びプレビュー画像の少なくとも１つを有する前記画面を生成する。
【００１１】
請求項６に記載の発明は、請求項４又は５に記載の画像形成装置において、
前記制御部は、前記ジョブの画像に対して最後に特徴の無い画像挿入の編集がされた場合に、当該挿入した画像の前又は後の画像に対応するサムネイル画像及びプレビュー画像の少なくとも１つを有する前記画面を生成する。
【００１２】
請求項７に記載の発明は、請求項１から６のいずれか一項に記載の画像形成装置において、
前記画像形成部により画像形成された用紙に後処理を施す後処理部を備え、
前記制御部は、前記ジョブの画像に対応して画像形成する用紙に前記後処理を施す場合に、当該後処理を施した排紙イメージのプレビュー画像を有する前記画面を生成する。
【００１３】
請求項８に記載の発明は、請求項７に記載の画像形成装置において、
前記制御部は、前記後処理を施した排紙イメージのプレビュー画像と、当該後処理に関する文字情報とを有する前記画面を生成する。
【発明の効果】
【００１４】
請求項１記載の発明によれば、ジョブのサムネイル画像と排紙イメージのプレビュー画像とを同時に表示でき、サムネイル画像によりジョブを容易に識別できるとともに、プレビュー画像により排紙イメージを認識できる。
【００１５】
請求項２記載の発明によれば、ジョブに含まれる画像から任意の画像を選択してサムネイル画像及びプレビュー画像の少なくとも１つに用いて表示できる。このため、同様な画像を有する複数のジョブに対しても、ジョブごとに異なる画像をサムネイル画像及びプレビュー画像の少なくとも１つに用いることができる。
【００１６】
請求項３記載の発明によれば、ジョブの特徴の表現に適した画像をサムネイル画像に用いることができ、サムネイル画像と別に、排紙イメージの認識に適した画像をプレビュー画像に用いることができる。
【００１７】
請求項４記載の発明によれば、ジョブの画像に対して最後に移動、複製又は挿入の編集がされた場合に、その編集がされて重要であると類推される画像をサムネイル画像及びプレビュー画像の少なくとも１つに用いることができる。
【００１８】
請求項５記載の発明によれば、ジョブの画像に対して最後に移動、複製又は画像挿入の編集がされていない場合に、重要であると類推される先頭画像をサムネイル画像及びプレビュー画像の少なくとも１つに用いることができる。
【００１９】
請求項６記載の発明によれば、ジョブの画像に対して最後に特徴の無い画像が挿入された場合に、重要であると類推される挿入画像の前又は後の画像をサムネイル画像及びプレビュー画像の少なくとも１つに用いることができる。
【００２０】
請求項７記載の発明によれば、後処理を施した排紙イメージをプレビュー画像から認識できる。
【００２１】
請求項８記載の発明によれば、後処理を施した排紙イメージをプレビュー画像から認識できるとともに、その後処理に関する情報を文字情報から認識できる。
【発明を実施するための最良の形態】
【００２２】
添付図面を参照して本発明に係る好適な第１〜第３の実施の形態及び第１、第２の変形例を詳細に説明する。なお、本発明は、図示例に限定されるものではない。また、この発明の実施の形態は発明の最も好ましい形態を表すものであり、発明の用途や用語はこれに限定するものではない。
【００２３】
（第１の実施の形態）
図１〜図６を参照して、本発明に係る第１の実施の形態を説明する。先ず、図１及び図２を参照して、本実施の形態の装置構成を説明する。
【００２４】
本実施の形態では、複写機としての画像形成装置１を用いる場合について説明するが、これに限定されるものではなく、プリンタなどの少なくとも画像形成機能を有する装置であればよい。
【００２５】
図１に、第１の実施の形態における画像形成装置１の断面構成を示す。図１に示すように、画像形成装置１は、画像読取部２０、表示操作部３０、画像形成部４０、給紙ユニット５０、後処理部６０を備えて構成される。
【００２６】
画像読取部２０は、自動紙送り機構であるＡＤＦ（Auto Document Feeder）部２１、スキャナ部２２を備えて構成される。ＡＤＦ部２１は、原稿台に載置された原稿を搬送してスキャナ部２２に送り出し、スキャナ部２２は、搬送された原稿を光走査してラインイメージセンサＣＣＤ（Charged Coupled devices）により光電変換して原稿画像を読み取る。
【００２７】
画像読取部２０により読み取られた原稿画像データは、各種画像処理が施され、画像形成用の読取画像データとして画像形成部４０に出力される。
【００２８】
表示操作部３０は、表示部３１と、数字キー、プリント開始を指示するためのスタートボタン、各種機能キー等を含むキー操作部３３とから構成される。表示部３１は、ＬＣＤ（Liquid Crystal Display）等の表示パネルと、当該表示パネル上を覆うように設けられたタッチパネルとから構成され、各種操作画面や、各種処理結果を表示する。
【００２９】
画像形成部４０は、電子写真方式で用紙に白黒の画像形成を行うものであり、給紙ユニット５０から給紙された用紙を搬送する搬送機構４１、用紙に画像形成を行う画像形成本体部４２、用紙上に形成されたトナー像を定着させる定着部４３から構成される。また、画像形成本体部４２は、像担持体である感光ドラム、感光ドラムの帯電を行う帯電部、画像データに基づいて感光ドラム表面に露光走査する露光部、感光ドラムにトナーを付着させる現像部、感光ドラム上に形成されたトナー像を用紙に転写する転写部、感光ドラム上の残トナーを除去するクリーニング部から構成される。
【００３０】
なお、本実施の形態では、画像形成部４０を電子写真方式で白黒の画像形成を行うものとして説明するが、これに限定されるものではない。画像形成部４０としては、カラーの画像形成を行うものとしてもよく、インクジェット方式、熱転写方式、昇華方式、ドットインパクト方式等、他の方式の画像形成を行うものとしてもよい。
【００３１】
給紙ユニット５０は、給紙トレイ５１〜５４の４つの給紙トレイを備えて構成される。なお、本実施の形態では、４つの給紙トレイを備えることとしたが、その数は特に限定しない。各給紙トレイ５１〜５４には、普通紙、裏紙、再生紙、上質紙等の用紙種及びサイズが異なる用紙を収容することが可能である。
【００３２】
後処理部６０は、画像形成された用紙に、パンチ（穿孔）処理及びステープル処理を施す機能を有する。また、後処理部６０は、画像形成された用紙に、ソート処理、製本処理処理等、他の後処理を行うものとしてもよい。また、後処理部６０は、画像形成（又は後処理）がなされた用紙を排紙する排紙トレイ６１を有する。
【００３３】
図２に、画像形成装置１の内部構成を示す。図２に示すように、画像形成装置１は、制御部１１と、プリントコントローラ１２と、画像処理部１３と、記憶部１４と、画像読取部２０と、表示操作部３０と、画像形成部４０と、後処理部６０と、を備えて構成される。
【００３４】
制御部１１は、画像形成装置１の各部を中央制御する。制御部１１は、ＣＰＵ（Central Processing Unit）、ＲＡＭ（Random Access Memory）、ＲＯＭ（Read Only Memory）を備える。制御部１１において、ＣＰＵがＲＯＭに記憶された各種プログラムをＲＡＭに展開し、ＣＰＵがＲＡＭに展開されたプログラムにより各種処理を実行する。
【００３５】
ＲＯＭには、後述する第１のジョブ一覧画面表示処理を実行するための第１のジョブ一覧画面表示プログラムが記憶されている。制御部１１は、第１のジョブ一覧画面表示プログラムに基づいて、サムネイル画像及びプレビュー画像を含むジョブ一覧画面を生成して表示部３１に表示する。
【００３６】
プリントコントローラ１２は、ＬＡＮ（Local Area Network）等の通信回線を介して、ＰＣ（Personal Computer）等の情報処理装置（図示略）と通信接続される。プリントコントローラ１２は、制御部１１の指示により、前記情報処理装置から送信される画像形成のジョブのデータを画像形成部４０又は記憶部１４へ配信する機能を有する。
【００３７】
画像処理部１３は、制御部１１の指示により、画像読取部２０から入力されるアナログの画像信号に、アナログ処理、Ａ／Ｄ変換、シェーディング補正、画像圧縮処理及び変倍処理等の各種画像処理を施してデジタルの画像データを出力する。また、画像処理部１３は、制御部１１の指示により、画像読取部２０で読取られた画像データ、プリントコントローラ１２から入力された画像データ、又は記憶部１４に記憶された画像データに、サムネイル画像データ、プレビュー画像データ、ページ画像データへの変換処理等の画像処理を施す。ページ画像とは、ジョブ（のデータ）に含まれる画像データに基づく各ページを示す縮小画像である。
【００３８】
記憶部１４は、ＲＡＭ等により構成され、画像読取部２０又はプリントコントローラ１２から入力された画像データを含むジョブのデータを一時的に記憶する。また、記憶部１４は、表示操作部３０を介するユーザの操作入力により設定される各種設定情報、後述するジョブ一覧画面の表示に用いるために生成されるサムネイル画像、プレビュー画像に関する設定情報を記憶する。
【００３９】
表示操作部３０は、表示部３１及び操作部３２を備えて構成される。表示部３１は、制御部１１の表示指示により、後述するジョブ一覧画面、ページ編集画面等の表示画面を表示する。操作部３２は、表示部３１に一体的に設けられたタッチパネル及びキー操作部３３を有する。操作部３２は、ユーザの操作入力を受付、その操作入力に対応する操作情報を制御部１１に出力する。
【００４０】
画像形成部４０は、制御部１１の指示により、画像データに基づいて用紙に画像形成を行う。後処理部６０は、制御部１１の指示により、画像形成部４０で画像形成された用紙に後処理を施して排紙トレイ６１から排紙する。後処理を行わない場合には、画像形成部４０で画像形成された用紙が排紙トレイ６１から排紙される。
【００４１】
次に、図３〜図６を参照して画像形成装置１の動作を説明する。図３に、第１のジョブ一覧画面表示処理の流れを示す。
【００４２】
第１のジョブ一覧画面表示処理は、画像形成装置１に投入された画像形成のジョブの一覧を表示するためのジョブ一覧画面を表示部３１に表示させる処理である。画像形成のジョブとは、複写のジョブ又は画像形成のみのジョブである。複写のジョブである場合に、画像読取部２０により原稿が読み取られた画像データを含むジョブのデータが記憶部１４に一旦記憶される。画像形成のみのジョブである場合に、プリントコントローラ１２を介して外部の情報処理装置から受信した画像データを含むジョブのデータ（プリントデータ）が記憶部１４に一旦記憶される。このように記憶部１４に記憶されたジョブのデータは、画像形成前の待機状態のジョブのデータである。このような画像形成前の待機状態のジョブがジョブ一覧画面に表示される。
【００４３】
ジョブ一覧画面には、少なくとも１つのジョブの一覧と、各ジョブを代表するサムネイル画像を表示するサムネイル表示領域と、選択されたジョブのプレビュー画像を表示するプレビュー表示領域と、を含む。
【００４４】
予め、少なくとも１つの画像形成のジョブが画像形成装置１に投入され、そのジョブのデータが記憶部１４に記憶されているものとする。そのジョブのデータには、オリジナルの画像データが含まれる。オリジナルの画像データとは、複写のジョブである場合に、画像読取部２０により読取られる読取画像データとなり、ジョブが外部の情報処理装置から投入された画像形成のみのジョブである場合に、プリントコントローラ１２を介して情報処理装置から送信される文書等のプリントデータに含まれる画像データとなる。
【００４５】
そして、操作部３２を介するユーザの操作入力により、投入された各ジョブのデータに含まれる画像データの画像から、そのジョブに対応するサムネイル画像及びプレビュー画像に用いる画像を１つ選択して設定することが可能であるものとする。その選択された画像の設定情報は、記憶部１４に記憶されているものとする。サムネイル画像及びプレビュー画像に使用される画像の選択の具体例は、後述する。
【００４６】
また、予め、操作部３２を介するユーザの操作入力により、プレビュー画像を表示させるジョブが１つ選択可能であるものとする。このジョブの選択が無い場合は、先頭ジョブ（画像形成順が先頭のジョブ）のプレビュー画像が表示されるものとする。つまり、第１のジョブ一覧画面表示処理では、選択中のジョブ又は先頭ジョブについて、プレビュー画像が１つ表示される構成である。
【００４７】
例えば、操作部３２を介してユーザからジョブ一覧画面の表示指示が入力されたことをトリガとして、制御部１１により、第１のジョブ一覧画面表示処理が実行される。
【００４８】
図３に示すように、先ず、記憶部１４に記憶された設定情報が参照され、各ジョブについて、サムネイル画像及びプレビュー画像に用いられる画像の選択設定がなされているか否かが判別される（ステップＳ１１）。画像の選択設定がなされていない場合（ステップＳ１１；ＮＯ）、画像形成待機中の各ジョブに含まれる画像のうちの先頭画像（ジョブに含まれる画像のうち画像形成順が先頭の画像）からサムネイル画像が生成され、選択中のジョブ又は先頭ジョブに含まれる画像のうちの先頭画像からプレビュー画像が生成される。その先頭画像のサムネイル画像がサムネイル画像表示領域に配置され、その先頭画像のプレビュー画像がプレビュー画像表示領域に配置されてジョブ一覧画面の画像データが生成され、その画像データに基づいてジョブ一覧画面が表示部３１に表示され（ステップＳ１２）、第１のジョブ一覧画面表示処理が終了する。
【００４９】
ステップＳ１２では、具体的には、記憶部１４に記憶されたジョブのデータに含まれる先頭画像データが、画像処理部１３により縮小されてサムネイル画像データが生成され、また選択中のジョブ又は先頭ジョブのデータに含まれる先頭画像データが、画像処理部１３により、排紙イメージに変換されてプレビュー画像データが生成される。そして、これら生成された画像データのサムネイル画像及びプレビュー画像を有するジョブ一覧画面の画像データが生成される。このように、ジョブのデータに含まれる画像データからサムネイル画像及びプレビュー画像を有するジョブ一覧画面（の画像データ）を生成する手順は、以下のステップＳ１３、他の実施の形態、変形例で同様である。
【００５０】
画像の選択設定がされている場合（ステップＳ１１；ＹＥＳ）、記憶部１４に記憶された設定情報に基づいて、画像形成待機中の各ジョブに含まれる画像のうちの選択画像からサムネイル画像が生成され、選択中のジョブ又は先頭ジョブに含まれる画像のうちの選択画像からプレビュー画像が生成される。その選択画像のサムネイル画像がサムネイル画像表示領域に配置され、その選択画像のプレビュー画像がプレビュー画像表示領域に配置されてジョブ一覧画面の画像データが生成され、その画像データに基づいてジョブ一覧画面が表示部３１に表示され（ステップＳ１３）、第１のジョブ一覧画面表示処理が終了する。選択画像は、ジョブに含まれる画像のうちのいずれか１つとなる。
【００５１】
図４〜図６を参照して、第１のジョブ一覧画面表示処理の具体例を説明する。図４に、ジョブ一覧画面１００の構成を示す。図５に、ページ編集画面２００の構成を示す。図６に、ジョブ一覧画面１０１の構成を示す。
【００５２】
画像形成装置１において、３つの画像形成のジョブが投入されて保留中になっているケースを考える。このとき、表示部３１に表示される画面において、ジョブ一覧タグ１５０、保留ジョブタグ１６０がタッチされることにより、第１のジョブ一覧画面表示処理が実行されてジョブ一覧画面１００が表示される。ジョブ一覧画面１００には、ジョブ一覧表示領域１１０、プレビュー画像表示領域１３０、ジョブ選択ボタン１４０、ページ編集ボタン１７０等を有する。
【００５３】
ジョブ一覧表示領域１１０は、投入された各ジョブに関する文字情報を有するジョブ情報領域１１１と、各ジョブを代表するサムネイル画像が表示されるサムネイル画像表示領域１２０とを含む。ジョブ情報領域１１１には、各ジョブのデータファイルのファイル名、投入したユーザ名、画像形成装置１における編集における各ジョブのデータファイルの更新日時、画像形成枚数、部数等が含まれる。ジョブ一覧表示領域１１０には、３つの投入済のジョブが表示されている。この３つのジョブの先頭画像は、同一の画像であるものとする。
【００５４】
プレビュー画像表示領域１３０は、選択中のジョブ又は先頭ジョブに対応するプレビュー画像を表示する領域である。また、プレビュー画像表示領域１３０の下方にプレビュー画像のジョブの画像形成に関する文字情報である文字情報領域１３１が表示される。文字情報領域１３１は、プレビュー画像のジョブの用紙の種類、片面プリント等の文字情報が含まれる。ジョブ選択ボタン１４０は、ジョブ一覧表示領域１１０中のジョブを選択するボタンである。ページ編集ボタン１７０は、表示画面をページ編集画面に遷移させるボタンである。
【００５５】
上記一回目の第１のジョブ一覧画面表示処理では、サムネイル画像、プレビュー画像に用いる画像の選択がないため、ステップＳ１２が実行され、ジョブ一覧画面１００において、サムネイル画像表示領域１２０に先頭画像のサムネイル画像Ｔ１が表示され、プレビュー画像表示領域１３０に先頭画像のプレビュー画像Ｐ１が表示される。
【００５６】
しかし、ジョブ一覧表示領域１１０において、各ジョブのサムネイル画像が同一であるため、ユーザの目視による各ジョブの識別が難しい。
【００５７】
ジョブ一覧画面１００が表示されている状態で、ユーザからのジョブ選択ボタン１４０のタッチ入力によるジョブ選択と、ページ編集ボタン１７０の押下とにより、図５に示す選択された先頭ジョブに対応するページ編集画面２００が表示部３１に表示される。ページ編集画面２００には、ジョブのページ画像２１１が画像形成順に並べられたページ画像表示領域２１０と、ページ画像２１１の編集に関する処理を実行するためのボタンを有するページ編集ボタン表示領域２２０とを有する。ページ編集ボタン表示領域２２０は、ページ画像のカットボタン２２１、複製ボタン２２２、画像挿入ボタン２２３、削除ボタン２２４、白紙（ブランク）挿入ボタン２２５、入れ替えボタン２２６等の各種ページ編集のボタンと、サムネイルボタン２２７と、もどるボタン２２８とを有する。
【００５８】
カットボタン２２１は、選択されたページ画像２１１を一旦制御部１１のＲＡＭに記憶させるとともにジョブから削除させるボタンである。一旦記憶されたページ画像２１１は、再度ジョブに画像挿入させることが可能である。複製ボタン２２２は、選択されたページ画像２１１をジョブから削除することなく一旦制御部１１のＲＡＭに記憶させるボタンである。画像挿入ボタン２２３は、選択されたページ画像２１１の前に画像を挿入させるボタンである。その挿入する画像は、カットボタン２２１、複製ボタン２２２入力でＲＡＭに記憶されたページ画像２１１（のオリジナルの画像）や、記憶部１４に記憶される別の画像データの画像等である。
【００５９】
削除ボタン２２４は、選択されたページ画像２１１をジョブから削除させるボタンである。白紙挿入ボタン２２５は、選択されたページ画像２１１の前に白紙（ブランク）の画像を挿入させるボタンである。入れ替えボタン２２６は、選択された２つのページ画像２１１の順番を入れ替えさせるボタンである。サムネイルボタン２２７は、ページ画像２１１をサムネイル画像及びプレビュー画像に用いる画像として選択入力させるためのモードに移行させるボタンである。もどるボタン２２８は、表示画面をページ編集画面の前の画面であるジョブ一覧画面に遷移させるボタンである。
【００６０】
ページ編集画面２００が表示されている状態で、ユーザからサムネイルボタン２２７のタッチ入力がなされ、任意のページ画像２１１の選択のタッチ入力がなされる。すると、その選択されたページ画像２１１が、選択中のジョブのサムネイル画像及びプレビュー画像に用いる画像として設定される。ここでは、ページ画像表示領域２１０の３番目のページ画像２１１が選択されたものとする。
【００６１】
そして、もどるボタン２２８のタッチ入力に応じて、再度第１のジョブ一覧画面表示処理が実行され、図６に示すジョブ一覧画面１０１が表示部３１に表示される。ジョブ一覧画面１０１において、選択中の先頭ジョブのサムネイル画像表示領域１２０に３番目のページ画像２１１に対応するサムネイル画像Ｔ２が表示され、プレビュー画像表示領域１３０に３番目のページ画像２１１に対応するプレビュー画像Ｐ２が表示される。
【００６２】
以上、本実施の形態によれば、ジョブのサムネイル画像とプレビュー画像とを生成し、当該サムネイル画像及びプレビュー画像を有するジョブ一覧画面を表示部３１に表示する。このため、ジョブのサムネイル画像と排紙イメージのプレビュー画像とを同時に表示でき、サムネイル画像によりジョブを容易に識別できるとともに、プレビュー画像により排紙イメージを認識できる。
【００６３】
また、ジョブに含まれる画像（ページ画像）から、サムネイル画像及びプレビュー画像に用いる画像をユーザが選択入力し、選択した画像のサムネイル画像及びプレビュー画像を有するジョブ一覧画面を生成して表示部３１に表示する。このため、ジョブに含まれる画像から任意の画像を選択してサムネイル画像及びプレビュー画像に用いて表示できる。さらに、同様な画像を有する複数のジョブに対しても、ジョブごとに異なる画像を選択してサムネイル画像及びプレビュー画像に用いることができる。
【００６４】
（第１の変形例）
図７を参照して、上記第１の実施の形態の変形例としての第１の変形例を説明する。図７に、ジョブ一覧画面１０２の構成を示す。
【００６５】
本変形例は、上記第１の実施の形態のサムネイル画像とプレビュー画像とを含むジョブ一覧画面において、後処理部６０による後処理を施すジョブのプレビュー画像を表示する場合に、その後処理を施した状態のプレビュー画像を表示する。本変形例では、画像形成装置１を用いるものとし、上記第１の実施の形態と異なる部分を主として説明する。
【００６６】
先ず、画像形成装置１に画像形成のジョブが投入された後に、ユーザからの操作部３２を介する操作入力により、そのジョブに施す後処理の種類等の入力設定が行われる。その後処理の設定情報は、記憶部１４に記憶される。この後処理は、パンチ穴の穴空け処理、ステープル処理等である。記憶部１４に記憶される設定情報は、パンチ穴、ステープルの位置情報等を含む。この設定情報は、対応するジョブのデータに対応付けられて記憶部１４に記憶される。また、予め後処理の設定がなされて、後処理を施すジョブが画像形成装置１に投入され、後処理の設定情報を含むジョブのデータが記憶部１４に記憶されることとしてもよい。
【００６７】
そして、第１のジョブ一覧画面表示処理の実行により、ジョブ一覧画面が表示部３１に表示される。このとき、制御部１１により、記憶部１４に記憶された後処理の設定情報が参照され、その設定された後処理を施した後のプレビュー画像が生成され、そのプレビュー画像がジョブ一覧画面のプレビュー画像表示領域に表示される。プレビュー画像データは、例えば、制御部１１の指示で画像処理部１３により、後処理を施す前のプレビュー画像データに、後処理イメージの画像データが重畳されることで生成される。
【００６８】
ここで、本変形例のジョブ一覧画面表示の具体例を説明する。ここでは、後処理として、用紙左上のステープル処理と、用紙左の２つのパンチ穴（パンチ２穴）の穴空け処理と、が設定されているケースを考える。図７に示すように、第１のジョブ一覧画面表示処理の実行により、ジョブ一覧画面１０２が表示部３１に表示される。ジョブ一覧画面１０２において、ジョブ一覧表示領域１１０の先頭のジョブが選択され、その選択中の先頭ジョブに対応するプレビュー画像Ｐ３がプレビュー画像表示領域１３０に表示され、プレビュー画像Ｐ３に対応する文字情報領域１３１Ａが表示される。この選択中の先頭ジョブに、上記ステープル処理及び穴空け処理が設定されている。
【００６９】
プレビュー画像Ｐ３は、ステープル処理及び穴空け処理の後処理を施した後のイメージの画像となっている。また、文字情報領域１３１Ａに、画像形成する用紙の情報に加え、プレビュー画像Ｐ３に施されている後処理に関する文字情報として、「ステープル左上」、「パンチ２穴左」が含まれている。
【００７０】
以上、本変形例によれば、ジョブのサムネイル画像と、後処理を施した排紙イメージのプレビュー画像と、その後処理に関する文字情報と、を有するジョブ一覧画面を生成して表示部３１に表示する。このため、ユーザが目視により、後処理を施した排紙イメージをプレビュー画像から認識できるとともに、その後処理に関する情報を文字情報から容易に認識できる。
【００７１】
（第２の実施の形態）
図８〜図１０を参照して、本発明に係る第２の実施の形態を説明する。また、本第２の実施の形態において、上記第１の実施の形態と重複する部分はその説明を省略し、第１の実施の形態と異なる部分を主として説明する。
【００７２】
本実施の形態では、画像形成装置１を用いる。ただし、制御部１１において、第１のジョブ一覧画面表示プログラムに代えて、第２のジョブ一覧画面表示プログラムがＲＯＭに記憶され、第２のジョブ一覧画面表示プログラムに基づく第２のジョブ一覧画面表示処理が実行される。
【００７３】
図８に、第２のジョブ一覧画面表示処理の流れを示す。第２のジョブ一覧画面表示処理は、サムネイル画像及びプレビュー画像の少なくとも１つに用いる画像を選択し、選択画像に対応するサムネイル画像及びプレビュー画像の少なくとも１つを有するジョブ一覧画面を表示する処理である。画像形成装置１において、例えば、ユーザから操作部３２を介してジョブ一覧画面の表示指示が入力されたことをトリガとして、制御部１１により第２のジョブ一覧画面表示処理が実行される。
【００７４】
予め、画像形成装置１に投入された画像形成のジョブについて、操作部３２を介するユーザの操作入力により、各ジョブに含まれる画像から、サムネイル画像及びプレビュー画像に用いる画像が選択設定可能であるものとする。その選択設定がなされた場合に、その設定情報が記憶部１４に記憶される。
【００７５】
先ず、記憶部１４に記憶された設定情報が参照され、選択中のジョブ又は先頭ジョブについて、プレビュー画像に用いる画像の選択設定があるか否かが判別される（ステップＳ２１）。プレビュー画像に用いる画像の選択設定がない場合（ステップＳ２１；ＮＯ）、記憶部１４に記憶された設定情報が参照され、選択中のジョブ又は先頭ジョブについて、サムネイル画像に用いる画像の選択設定があるか否かが判別される（ステップＳ２２）。
【００７６】
サムネイル画像に用いる画像の選択設定がない場合（ステップＳ２２；ＮＯ）、画像形成待機中の各ジョブに含まれる画像のうちの先頭画像からサムネイル画像が生成され、選択中のジョブ又は先頭ジョブに含まれる画像のうちの先頭画像からプレビュー画像が生成される。その選択画像のサムネイル画像がサムネイル画像表示領域に配置され、その先頭画像のプレビュー画像がプレビュー画像表示領域に配置されてジョブ一覧画面の画像データが生成され、その画像データに基づいてジョブ一覧画面が表示部３１に表示され（ステップＳ２３）、第２のジョブ一覧画面表示処理が終了する。
【００７７】
サムネイル画像に用いる画像の選択設定がある場合（ステップＳ２２；ＹＥＳ）、記憶部１４に記憶された設定情報に基づいて、画像形成待機中の各ジョブに含まれる画像のうちの選択画像からサムネイル画像が生成され、選択中のジョブ又は先頭ジョブに含まれる画像のうちの先頭画像からプレビュー画像が生成される。その選択画像のサムネイル画像がサムネイル画像表示領域に配置され、その先頭画像のプレビュー画像がプレビュー画像表示領域に配置されてジョブ一覧画面の画像データが生成され、その画像データに基づいてジョブ一覧画面が表示部３１に表示され（ステップＳ２４）、第２のジョブ一覧画面表示処理が終了する。
【００７８】
プレビュー画像に用いる画像の選択設定がある場合（ステップＳ２１；ＹＥＳ）、記憶部１４に記憶された設定情報が参照され、選択中のジョブ又は先頭ジョブについて、サムネイル画像に用いる画像の選択設定があるか否かが判別される（ステップＳ２５）。サムネイル画像に用いる画像の選択設定がない場合（ステップＳ２５；ＮＯ）、記憶部１４に記憶された設定情報に基づいて、画像形成待機中の各ジョブに含まれる画像のうちの先頭画像からサムネイル画像が生成され、選択中のジョブ又は先頭ジョブに含まれる画像のうちの選択画像からプレビュー画像が生成される。その先頭画像のサムネイル画像がサムネイル画像表示領域に配置され、その選択画像のプレビュー画像がプレビュー画像表示領域に配置されてジョブ一覧画面の画像データが生成され、その画像データに基づいてジョブ一覧画面が表示部３１に表示され（ステップＳ２６）、第２のジョブ一覧画面表示処理が終了する。
【００７９】
サムネイル画像に用いる画像の選択設定がある場合（ステップＳ２５；ＹＥＳ）、記憶部１４に記憶された設定情報に基づいて、画像形成待機中の各ジョブに含まれる画像のうちの選択画像からサムネイル画像が生成され、選択中のジョブ又は先頭ジョブに含まれる画像のうちの選択画像からプレビュー画像が生成される。その選択画像のサムネイル画像がサムネイル画像表示領域に配置され、その選択画像のプレビュー画像がプレビュー画像表示領域に配置されてジョブ一覧画面の画像データが生成され、その画像データに基づいてジョブ一覧画面が表示部３１に表示され（ステップＳ２７）、第２のジョブ一覧画面表示処理が終了する。
【００８０】
次いで、図９及び図１０を参照して、第２のジョブ一覧画面表示処理の具体例を説明する。図９に、ページ編集画面２０１の構成を示す。図１０に、ジョブ一覧画面１０３の構成を示す。
【００８１】
先ず、画像形成装置１において、第２のジョブ一覧画面表示処理が実行され、画像設定が無いため、ステップＳ２３が実行され、図４に示す初期画面としてのジョブ一覧画面１００が表示部３１に表示される。そして、ジョブ一覧画面１００において、ジョブ一覧表示領域１１０の先頭ジョブが、ジョブ選択ボタン１４０のタッチ入力により選択され、ページ編集ボタン１７０がタッチ入力されると、図９に示すページ編集画面２０１が表示部３１に表示される。
【００８２】
ページ編集画面２０１は、ページ画像表示領域２１０と、ページ編集ボタン表示領域２２０Ａとを有する。ページ編集ボタン表示領域２２０Ａは、ページ編集ボタン表示領域２２０の各編集ボタンと、サムネイルボタン２２７Ａと、もどるボタン２２８と、プレビューボタン２２９とを有する。サムネイルボタン２２７Ａは、ページ画像２１１をサムネイル画像として選択入力させるためのモードに移行させるボタンである。プレビューボタン２２９は、ページ画像２１１をプレビュー画像として選択入力させるためのモードに移行させるボタンである。
【００８３】
サムネイル画像に用いる画像は、サムネイルボタン２２７Ａのタッチ入力の後に、ページ画像表示領域２１０のページ画像２１１のユーザからのタッチ入力により選択され設定される。プレビュー画像に用いる画像は、プレビューボタン２２９のタッチ入力の後に、ページ画像表示領域２１０のページ画像２１１のタッチ入力により選択され設定される。この設定情報が記憶部１４に記憶される。
【００８４】
上記のような、サムネイル画像に用いる画像、プレビュー画像に用いる画像が、ジョブ一覧表示領域１１０の各ジョブについて設定された状態で、例えば、もどるボタン２２８のタッチ入力により、画像形成装置１において、制御部１１により第２のジョブ一覧画面表示処理が実行される。サムネイル画像に用いる画像と、プレビュー画像に用いる画像とが設定済であるため、ステップＳ２７が実行され、図１０に示すジョブ一覧画面１０３が表示部３１に表示される。
【００８５】
ジョブ一覧画面１０３において、ジョブ一覧表示領域１１０の先頭ジョブに対応して、サムネイル画像表示領域１２０にサムネイル画像Ｔ１が表示され、プレビュー画像表示領域１３０にプレビュー画像Ｐ２が表示される。また、ジョブ一覧表示領域１１０の２番目のジョブに対応してサムネイル画像表示領域１２０にサムネイル画像Ｔ３が表示され、ジョブ一覧表示領域１１０の３番目のジョブに対応してサムネイル画像表示領域１２０にサムネイル画像Ｔ４が表示されている。つまり、各ジョブのサムネイル画像を異にするとともに、先頭ジョブのサムネイル画像とプレビュー画像の元の画像を異にすることが可能である。
【００８６】
以上、本実施の形態によれば、ジョブのデータに含まれる画像データに基づいて、サムネイル画像及びプレビュー画像の少なくとも１つに用いる画像をユーザが選択し、選択した画像のサムネイル画像及びプレビュー画像の少なくとも１つを有するジョブ一覧画面を生成して表示部３１に表示する。このため、サムネイル画像及びプレビュー画像の少なくとも１つに用いる画像を選択できるとともに、サムネイル画像及びプレビュー画像に用いる画像を異にして選択すれば、ジョブの特徴の表現に適した画像をサムネイル画像に用いることができ、排紙イメージの認識に適した画像をプレビュー画像に用いることができる。
【００８７】
（第３の実施の形態）
図１１を参照して、本発明に係る第３の実施の形態を示す。また、本第３の実施の形態において、上記第１の実施の形態と重複する部分はその説明を省略し、第１の実施の形態と異なる部分を主として説明する。
【００８８】
本実施の形態では、画像形成装置１を用いる。ただし、制御部１１において、第１のジョブ一覧画面表示プログラムに代えて、第３のジョブ一覧画面表示プログラムがＲＯＭに記憶されて、第３のジョブ一覧画面表示プログラムに基づく第３のジョブ一覧画面表示処理が実行される。
【００８９】
図１１に、第３のジョブ一覧画面表示処理の流れを示す。第３のジョブ一覧画面表示処理は、ジョブのページ編集で最後に編集した画像を、サムネイル画像及びプレビュー画像として設定したジョブ一覧画面を表示する処理である。画像形成装置１において、例えば、ユーザから操作部３２を介してジョブ一覧画面の表示指示が入力されたことをトリガとして、制御部１１により第３のジョブ一覧画面表示処理が実行される。
【００９０】
予め、画像形成装置１に投入されたジョブについて、ユーザからの操作部３２を介する操作入力により、ページ編集をするジョブが選択され、その選択されたジョブに対応する図５に示すようなページ編集画面２００が表示部３１に表示され、ページ編集ボタン表示領域２２０の各編集ボタンのタッチ入力により、各種ページ編集がなされる。そして、その最後の編集として、カットボタン２２１、入れ替えボタン２２６、複製ボタン２２２又は画像挿入ボタン２２３のタッチ入力により、ページ画像の移動（カット若しくは複製された画像を別位置へ挿入、画像の入れ替え）、複製又は画像挿入の編集がなされた場合に、そのページ編集で最後に編集された画像（ページ画像）を示す情報が、設定情報として記憶部１４に記憶されるものとする。
【００９１】
先ず、記憶部１４に記憶されている設定情報が参照され、選択中のジョブについて、最後に画像の移動、複製又は画像挿入の編集がされた場合に、その編集がされた画像が選択され、最後に画像の移動、複製又は画像挿入の編集がされていない場合に、先頭画像が選択される（ステップＳ３１）。そして、ジョブ一覧の選択中のジョブに含まれる画像のうちのステップＳ３１で選択された選択画像からサムネイル画像が生成され、選択中のジョブに含まれる画像のうちのステップＳ３１で選択された選択画像からプレビュー画像が生成される。その選択画像のサムネイル画像がサムネイル画像表示領域に配置され、その選択画像のプレビュー画像がプレビュー画像表示領域に配置されてジョブ一覧画面の画像データが生成され、その画像データに基づいてジョブ一覧画面が表示部３１に表示され（ステップＳ３２）、第３のジョブ一覧画面表示処理が終了する。
【００９２】
以上、本実施の形態によれば、移動、複製又は画像挿入の編集を最後にした場合に、その編集の対象の画像から生成したサムネイル画像及びプレビュー画像を有するジョブ一覧画面を生成して表示部３１に表示する。このため、その編集の対象であり重要であると類推される画像をサムネイル画像及びプレビュー画像に用いることができる。また、移動、複製又は挿入の編集がされていない場合に、先頭画像をサムネイル画像及びプレビュー画像に用いることができる。
【００９３】
（第２の変形例）
図１２を参照して、上記第３の実施の形態の変形例としての第２の変形例を説明する。
図１２に、第４のジョブ一覧画面表示処理の流れを示す。
【００９４】
本変形例は、上記第３の実施の形態のサムネイル画像とプレビュー画像とを含むジョブ一覧画面表示において、最後に実行されたページ編集が白紙挿入である場合を含む構成である。本変形例では、画像形成装置１を用いるものとし、上記第３の実施の形態と異なる部分を主として説明する。ただし、制御部１１において、第３のジョブ一覧画面表示プログラムに代えて、第４のジョブ一覧画面表示プログラムがＲＯＭに記憶されて、第４のジョブ一覧画面表示プログラムに基づく第４のジョブ一覧画面表示処理が実行される。
【００９５】
画像形成装置１において、例えば、ユーザから操作部３２を介してジョブ一覧画面の表示指示が入力されたことをトリガとして、制御部１１により第４のジョブ一覧画面表示処理が実行される。
【００９６】
予め、画像形成装置１に投入されたジョブについて、ユーザからの操作部３２を介する操作入力により、ページ編集をするジョブが選択され、その選択されたジョブに対応する図５に示すようなページ編集画面２００が表示部３１に表示され、ページ編集ボタン表示領域２２０の各ボタンのタッチ入力により、各種ページ編集がなさる。そして、その最後の編集として、ページ画像の移動、複製、挿入、又は白紙挿入ボタン２２５による白紙挿入の編集がなされた場合に、そのページ編集で最後に編集された画像（ページ画像）を示す情報が、設定情報として記憶部１４に記憶されるものとする。
【００９７】
先ず、記憶部１４に記憶されている設定情報が参照され、選択中のジョブについて、最後に編集された画像が挿入された白紙（画像）であるか否かが判別される（ステップＳ４１）。最後に編集された画像が挿入された白紙でない場合（ステップＳ４１；ＮＯ）、記憶部１４に記憶されている設定情報が参照され、選択中のジョブについて、最後に画像の移動、複製又は画像挿入の編集がされた場合に、その編集がされた画像が選択され、最後に画像の移動、複製又は画像挿入の編集がされていない場合に、先頭画像が選択される（ステップＳ４２）。最後に編集された画像が挿入された白紙である場合（ステップＳ４１；ＹＥＳ）、記憶部１４に記憶されている設定情報が参照され、選択中のジョブについて、最後に編集された白紙の画像に対して、画像形成順が１つ前の画像が選択される（ステップＳ４３）。ステップＳ４３では、白紙の画像より、画像形成順が２つ以上前の画像、又は１つ以上後の画像を選択することとしてもよい。
【００９８】
そして、ジョブ一覧の選択中のジョブに含まれる画像のうちのステップＳ４２又はＳ４３で選択された選択画像からサムネイル画像が生成され、選択中のジョブに含まれる画像のうちのステップＳ４２又はＳ４３で選択された選択画像からプレビュー画像が生成される。その選択画像のサムネイル画像がサムネイル画像表示領域に配置され、その選択画像のプレビュー画像がプレビュー画像表示領域に配置されてジョブ一覧画面の画像データが生成され、その画像データに基づいてジョブ一覧画面が表示部３１に表示され（ステップＳ４４）、第４のジョブ一覧画面表示処理が終了する。
【００９９】
以上、本変形例によれば、特徴の無い画像として白紙挿入の編集がなされた場合に、挿入画像の前の画像から生成したサムネイル画像及びプレビュー画像を有するジョブ一覧画面を生成して表示部３１に表示する。このため、重要であると類推される挿入白紙画像の前の画像をサムネイル画像及びプレビュー画像に用いることができる。
【０１００】
なお、上記実施の形態及び変形例における記述は、本発明に係る好適な画像形成装置の一例であり、これに限定されるものではない。
【０１０１】
例えば、上記各実施の形態、各変形例及び下記構成の少なくとも２つを組み合わせることとしてもよい。
【０１０２】
また、上記第２の実施の形態では、複数のジョブについて、選択画像又は先頭画像に基づいて各サムネイル画像を表示する構成を説明したが、これに限定されるものでない。例えば、複数のジョブについて、選択画像に基づくサムネイル画像と、先頭画像に基づくサムネイル画像とを混在して表示する構成としてもよい。
【０１０３】
また、上記各実施の形態、各変形例では、サムネイル画像及びプレビュー画像に用いる初期設定の画像が先頭画像である構成を説明したが、これに限定されるものでない。例えば、２番目以降の画像を初期設定の画像とする構成としてもよい。
【０１０４】
また、上記各実施の形態、各変形例では、１つのジョブについて、１つのサムネイル画像と１つのプレビュー画像とを同時に表示する構成を説明したが、これに限定されるものでない。例えば、１つのジョブについて、複数のサムネイル画像と複数のプレビュー画像とを同時に表示する構成としてもよい。また、複数ジョブにおける各ジョブのプレビュー画像を同時に表示する構成としてもよい。
【０１０５】
また、以上の実施の形態及び変形例における画像形成装置１を構成する各部の細部構成及び細部動作に関して本発明の趣旨を逸脱することのない範囲で適宜変更可能である。
【図面の簡単な説明】
【０１０６】
【図１】本発明に係る第１の実施の形態における画像形成装置の断面構成を示す図である。
【図２】画像形成装置の内部構成を示す図である。
【図３】第１のジョブ一覧画面表示処理を示すフローチャートである。
【図４】第１の実施の形態の画像選択前のジョブ一覧画面の構成を示す図である。
【図５】第１の実施の形態のページ編集画面の構成を示す図である。
【図６】第１の実施の形態の画像選択後のジョブ一覧画面の構成を示す図である。
【図７】第１の変形例のジョブ一覧画面の構成を示す図である。
【図８】第２のジョブ一覧画面表示処理を示すフローチャートである。
【図９】第２の実施の形態のページ編集画面の構成を示す図である。
【図１０】第２の実施の形態のジョブ一覧画面の構成を示す図である。
【図１１】第３のジョブ一覧画面表示処理を示すフローチャートである。
【図１２】第４のジョブ一覧画面表示処理を示すフローチャートである。
【符号の説明】
【０１０７】
１  画像形成装置
１１  制御部
１２  プリントコントローラ
１３  画像処理部
１４  記憶部
２０  画像読取部
２１  ＡＤＦ部
２２  スキャナ部
３０  表示操作部
３１  表示部
３２  操作部
３３  キー操作部
４０  画像形成部
４１  搬送機構
４２  画像形成本体部
４３  定着部
５０  給紙ユニット
５１〜５４  給紙トレイ
６０  後処理部
【図１】
2009216893.tif 000003
【図２】
2009216893.tif 000004
【図３】
2009216893.tif 000005
【図４】
2009216893.tif 000006
【図５】
2009216893.tif 000007
【図６】
2009216893.tif 000008
【図７】
2009216893.tif 000009
【図８】
2009216893.tif 000010
【図９】
2009216893.tif 000011
【図１０】
2009216893.tif 000012
【図１１】
2009216893.tif 000013
【図１２】
2009216893.tif 000014